【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
物品が保持するゲーム情報に基づいて第１のモード及び第２のモードを含むゲームを実行する実行手段と、
前記第１のモード及び前記第２のモードのうちのいずれか１つのモードを選択する選択手段と、
前記ゲームのプレイに応じて第１の種別の物品及び該第１種別の物品とは形状が異なる第２の種別の物品を選択的に提供する提供手段と、
前記提供手段による前記第１の種別の物品及び前記第２の種別の物品の提供を制御する制御手段と、
前記提供手段から前記物品を提供可能に操作可能な操作手段と、
を備え、
前記制御手段は、前記選択手段により前記第１のモードが選択されることにより前記ゲームが前記第１のモードで進行して第１の状態となった場合、前記操作手段の操作に応じて、前記第１の種別の物品を提供可能な状態に前記提供手段を制御し、前記選択手段により前記第２のモードが選択されることにより前記ゲームが前記第２のモードで進行して第２の状態となった場合、前記操作手段の操作に応じて、前記第２の種別の物品を提供可能な状態に前記提供手段を制御する、
ゲーム装置。
【請求項２】
請求項１に記載のゲーム装置であって、
前記物品が保持するゲーム情報を取得する取得手段を備え、
前記制御手段は、前記取得手段が前記ゲーム情報を取得した場合、前記ゲームを実行するように前記実行手段を制御するゲーム装置。
【請求項３】
請求項２に記載のゲーム装置であって、
前記第２のモードを選択し、前記ゲームの進行に応じて前記ゲームが前記第２の状態とは異なる第３の状態となった場合、
前記制御手段は、前記操作手段の操作に応じて、前記第１の種別の物品を提供可能な状態に前記提供手段を制御するゲーム装置。
【請求項４】
請求項３に記載のゲーム装置であって、
前記取得手段は、前記第２の種別の物品が保持するゲーム情報を取得可能であって、
前記制御手段は、前記第２の種別の物品が保持するゲーム情報が取得された場合、前記第１の状態、前記第２の状態、または、前記第３の状態になる可能性が前記第２の種別の物品が保持するゲーム情報を取得しなかった場合よりも高くなるように制御するゲーム装置。
【請求項５】
請求項３または４に記載のゲーム装置であって、
前記提供手段は、
前記第１の種別の物品を提供可能な第１の提供手段と、
前記第２の種別の物品を提供可能な第２の提供手段と、を備えるゲーム装置。
【請求項６】
請求項５に記載のゲーム装置であって、
前記第１の状態における前記第１の種別の物品の提供と、前記第３の状態における前記第１の種別の物品の提供は、前記第１の提供手段からなされるゲーム装置。
【請求項７】
請求項１ないし６のいずれか１項に記載のゲーム装置であって、
前記第２の種別の物品の種類数は、前記第１の種別の物品の種類数よりも少ないゲーム装置。
【請求項８】
請求項５に記載のゲーム装置であって、
前記第１の提供手段及び前記第２の提供手段とは異なる第３の提供手段と、
前記第１の種別の物品及び前記第２の種別の物品とは異なる第３の種別の物品を前記第３の提供手段から提供すべく操作可能な操作手段とを備え、
前記第３の提供手段は、対価の支払い及び前記操作手段の操作を条件として、前記第３の提供手段から前記第３の種別の物品を提供するゲーム装置。
【請求項９】
請求項８に記載のゲーム装置であって、
前記第３の種別の物品は、前記第１の種別の物品と形状が同じであるゲーム装置。
【請求項１０】
請求項８または９に記載のゲーム装置であって、
前記取得手段は、前記第１の種別の物品または前記第３の種別の物品が保持するゲーム情報を２つ以上取得可能であって、
前記制御手段は、前記第１の種別の物品または前記第３の種別の物品が保持するゲーム情報の取得数に応じて、前記第１の種別の物品または前記第３の種別の物品が保持するゲーム情報を取得しない場合よりも、前記第１の状態、前記第２の状態、または、前記第３の状態になる可能性が高くなるように制御するゲーム装置。
【請求項１１】
コンピュータを、請求項１ないし１０のいずれか１項に記載のゲーム装置の各手段として機能させるためのプログラム。
【請求項１２】
第１のモード及び第２のモードを含むゲームに係る処理を実行するゲーム装置と、該ゲーム装置で情報取得可能に構成されたゲーム情報を保持する物品と、で構成されるゲームシステムであって、
前記ゲーム装置は、
前記第１のモード及び前記第２のモードのうちのいずれか１つのモードを選択する選択手段と、
前記ゲームのプレイに応じて第１の種別の物品及び該第１種別の物品とは形状が異なる第２の種別の物品を選択的に提供する提供手段と、
前記提供手段から前記物品を提供可能に操作可能な操作手段と、
前記提供手段による前記第１の種別の物品及び前記第２の種別の物品の提供を制御する制御手段であって、前記選択手段により選択された前記第１のモードでの前記ゲームのプレイに応じて前記ゲームが第１の状態となった場合、前記操作手段の操作に応じて、前記第１の種別の物品を提供可能な状態に前記提供手段を制御し、前記選択手段により選択された前記第２のモードでの前記ゲームのプレイに応じて前記ゲームが前記第１の状態とは異なる第２の状態となった場合、前記操作手段の操作に応じて、前記第２の種別の物品を提供可能な状態に前記提供手段を制御する制御手段と、を備えるゲームシステム。
【手続補正２】
【補正対象書類名】明細書
【補正対象項目名】０００７
【補正方法】変更
【補正の内容】
【０００７】
本発明に係るゲーム装置は、物品が保持するゲーム情報に基づいて第１のモード及び第２のモードを含むゲームを実行する実行手段と、前記第１のモード及び前記第２のモードのうちのいずれか１つのモードを選択する選択手段と、前記ゲームのプレイに応じて第１の種別の物品及び第２の種別の物品を選択的に提供する提供手段と、前記提供手段による前記第１の種別の物品及び前記第２の種別の物品の提供を制御する制御手段と、前記提供手段から前記物品を提供可能に操作可能な操作手段と、を備え、前記制御手段は、前記選択手段により前記第１のモードが選択されることにより前記ゲームが前記第１のモードで進行して第１の状態となった場合、対価の支払いを条件とせずに、前記操作手段の操作に応じて、前記第１の種別の物品を提供可能な状態に前記提供手段を制御し、前記選択手段により前記第２のモードが選択されることにより前記ゲームが前記第２のモードで進行して第２の状態となった場合、対価の支払いを条件として、前記操作手段の操作に応じて、前記第２の種別の物品を提供可能な状態に前記提供手段を制御する。本発明に係るゲーム装置は、物品が保持するゲーム情報に基づいて第１のモード及び第２のモードを含むゲームを実行する実行手段と、前記第１のモード及び前記第２のモードのうちのいずれか１つのモードを選択する選択手段と、前記ゲームのプレイに応じて第１の種別の物品及び該第１種別の物品とは形状が異なる第２の種別の物品を選択的に提供する提供手段と、前記提供手段による前記第１の種別の物品及び前記第２の種別の物品の提供を制御する制御手段と、前記提供手段から前記物品を提供可能に操作可能な操作手段と、を備え、前記制御手段は、前記選択手段により前記第１のモードが選択されることにより前記ゲームが前記第１のモードで進行して第１の状態となった場合、前記操作手段の操作に応じて、前記第１の種別の物品を提供可能な状態に前記提供手段を制御し、前記選択手段により前記第２のモードが選択されることにより前記ゲームが前記第２のモードで進行して第２の状態となった場合、前記操作手段の操作に応じて、前記第２の種別の物品を提供可能な状態に前記提供手段を制御する。
【手続補正３】
【補正対象書類名】明細書
【補正対象項目名】０００８
【補正方法】変更
【補正の内容】
【０００８】
本発明の第１のモード及び第２のモードを含むゲームに係る処理を実行するゲーム装置と、該ゲーム装置で情報取得可能に構成されたゲーム情報を保持する物品と、で構成されるゲームシステムは、前記ゲーム装置が、前記第１のモード及び前記第２のモードのうちのいずれか１つのモードを選択する選択手段と、前記ゲームのプレイに応じて第１の種別の物品及び第２の種別の物品を選択的に提供する提供手段と、前記提供手段から前記物品を提供可能に操作可能な操作手段と、前記提供手段による第１の種別の物品及び第２の種別の物品の提供を制御する制御手段であって、前記選択手段により選択された前記第１のモードでの前記ゲームのプレイに応じて前記ゲームが第１の状態となった場合、対価の支払いを条件とせずに、前記操作手段の操作に応じて、前記第１の種別の物品を提供可能な状態に前記提供手段を制御し、前記選択手段により選択された前記第２のモードでの前記ゲームのプレイに応じて前記ゲームが前記第１の状態とは異なる第２の状態となった場合、対価の支払いを条件として、前記操作手段の操作に応じて、前記第２の種別の物品を提供可能な状態に前記提供手段を制御する制御手段と、を備える。また、本発明の第１のモード及び第２のモードを含むゲームに係る処理を実行するゲーム装置と、該ゲーム装置で情報取得可能に構成されたゲーム情報を保持する物品と、で構成されるゲームシステムは、前記ゲーム装置が、前記第１のモード及び前記第２のモードのうちのいずれか１つのモードを選択する選択手段と、前記ゲームのプレイに応じて第１の種別の物品及び該第１種別の物品とは形状が異なる第２の種別の物品を選択的に提供する提供手段と、前記提供手段から前記物品を提供可能に操作可能な操作手段と、前記提供手段による前記第１の種別の物品及び前記第２の種別の物品の提供を制御する制御手段であって、前記選択手段により選択された前記第１のモードでの前記ゲームのプレイに応じて前記ゲームが第１の状態となった場合、前記操作手段の操作に応じて、前記第１の種別の物品を提供可能な状態に前記提供手段を制御し、前記選択手段により選択された前記第２のモードでの前記ゲームのプレイに応じて前記ゲームが前記第１の状態とは異なる第２の状態となった場合、前記操作手段の操作に応じて、前記第２の種別の物品を提供可能な状態に前記提供手段を制御する制御手段と、を備える。